(57)【要約】【課題】使い勝手の良いマスクを提供すること。【解決手段】マスク１は、薄面状の本体部１０と、板状に形成され、本体部１０の内部に収納される第１形状保持部材２０と、本体部１０の一方面上、かつ第１形状保持部材２０と平面視において重なるように配置され、本体部１０より厚手のクッション部材３０と、を備え、第１形状保持部材２０は、線状部材及び前記線状部材を覆うコーティング部材により形成される。【選択図】図２
0003228913.tif 000002
【実用新案登録請求の範囲】
【請求項１】
薄面状の本体部と、
板状に形成され、前記本体部の内部に収納される第１形状保持部材と、
前記本体部の一方面上、かつ前記第１形状保持部材と平面視において重なるように配置され、前記本体部より厚手のクッション部材と、
を備え、
前記第１形状保持部材は、線状部材及び前記線状部材を覆うコーティング部材により形成されることを特徴とするマスク。
【請求項２】
前記線状部材は、スチール製であり、
前記コーティング部材は、ポリプロピレンとポリエチレンとを含む樹脂材料であることを特徴とする請求項１に記載のマスク。
【請求項３】
板状に形成された第２形状保持部材を備え、
前記本体部は、長方形状であり、
前記第１形状保持部材は、前記本体部の短手方向の端側に収納され、
前記第２形状保持部材は、前記本体部の短手方向の中央側の内部に収納され、前記第１形状保持部材よりも長く形成されることを特徴とする請求項１又は請求項２に記載のマスク。
【請求項４】
前記本体部は、第１層、第２層及び第３層から形成され、前記第２層及び前記第３層の間に、前記第１形状保持部材を収納する第１収納部及び前記第２形状保持部材を収納する第２収納部を有し、
前記第１収納部は、規制部を２箇所に有し、
前記規制部の間の距離は、前記第１形状保持部材の長手方向の長さより僅かに長く、前記第２収納部の長手方向の長さより短いことを特徴とする請求項３に記載のマスク。
【考案の詳細な説明】
【技術分野】
【０００１】
本考案はマスクに関する。
【背景技術】
【０００２】
従来から、眼鏡と共に用いたとしても、漏れた呼気により眼鏡が曇ることを防止するマスクが開示されている。特許文献１のマスクは、長矩形状のマスク本体と、マスクの装着者の顔面に合わせて変形可能かつ変形後の形状を保持可能な形状保持部材を有するクッション部材と、シート状の上部シート部材とを備え、クッション部材によりマスクの装着者の顔面及びマスクの間を塞ぎつつ、クッション部材及び上部シート部材の間に設けられた隙間によりマスクの内外に加わる圧力を調整する。これにより、特許文献１のマスクは、マスクの装着者の顔面に密着した状態を維持し、マスクから漏れる呼気を抑え、眼鏡が曇ることを防止することができる。
【先行技術文献】
【特許文献】
【０００３】
【特許文献１】特開２０２０−５０９９６号
【考案の概要】
【考案が解決しようとする課題】
【０００４】
しかしながら、特許文献１のマスクなどが備える形状保持部材は、マスクの装着者の顔面に合わせて変形させた後、その形状を長時間保持し続けることが難しいことがあった。形状保持部材が変形後の形状を維持し続けられない場合、マスクの装着者は、形状保持部材の変形を再度行わなければならず、使いづらさを感じることがあった。
【０００５】
本考案は、以上の点に鑑み、使い勝手の良いマスクを提供することを目的とする。
【課題を解決するための手段】
【０００６】
本考案に係るマスクは、薄面状の本体部と、板状に形成され、前記本体部の内部に収納される第１形状保持部材と、前記本体部の一方面上、かつ前記第１形状保持部材と平面視において重なるように配置され、前記本体部より厚手のクッション部材と、を備え、前記第１形状保持部材は、線状部材及び前記線状部材を覆うコーティング部材により形成されることを特徴とする。
【考案の効果】
【０００７】
本考案によれば、使い勝手の良いマスクを提供することができる。
【図面の簡単な説明】
【０００８】
【図１】本考案の実施形態に係るマスクの正面図である。
【図２】本考案の実施形態に係るマスクの背面図である。
【図３】本考案の実施形態に係る図１に示すマスクのＩＩＩ−ＩＩＩ断面図である。
【考案を実施するための形態】
【０００９】
本考案の実施形態を説明する。図１及び図２に示すマスク１は、本体部１０、第１形状保持部材２０、クッション部材３０、第２形状保持部材４０及び耳掛け部５０を備える。以下に、マスク１が備える各部について、説明する。
【００１０】
本体部１０は、正面視及び背面視すると長方形状であり、本体部１０の正面側に位置する表面１０ａ（装着時の外側の面）及び本体部１０の背面側に位置する裏面１０ｂ（装着時の内側の面）を有する。また、本体部１０は、平面視、側面視及び底面視すると僅かに厚みを有する。従って、本体部１０は、薄面状である。本体部１０は、表面１０ａ側に位置する第１層１０Ａ、表面１０ａ及び裏面１０ｂの中間に位置する第２層１０Ｂ及び裏面１０ｂ側に位置する第３層１０Ｃの３つの層により形成される（図３も参照）。第１層１０Ａ、第２層１０Ｂ及び第３層１０Ｃは、薄膜状に形成される。なお、本体部１０は、例えば、不織布及び織物等の布材により形成することができる。
【００１１】
本体部１０は、第１収納部１１を有する。第１収納部１１は、本体部１０の短手方向の端側の一方側に近傍して設けられる。第１収納部１１は、第１形状保持部材２０を収納するものであり、本体部１０の第２層１０Ｂ及び第３層１０Ｃの間に、第１形状保持部材２０の外形より僅かに大きい空間として形成される（図３Ａ部拡大図も参照）。第１収納部１１は、本体部１０の長手方向に亘って２列設けられる溶着部１１ａ及び２列の溶着部１１ａの間かつ本体部１０の両短手側にそれぞれ一箇所ずつ設けられる溶着部１１ｂにより形成される。換言すれば、第１収納部１１は、溶着部１１ａ及び溶着部１１ｂの内側に形成される。また、溶着部１１ａ及び溶着部１１ｂは、本体部１０の第１層１０Ａ乃至第３層１０Ｃを熱溶着や超音波溶着等の溶着を行うことで形成することができる。なお、本体部１０（マスク１）において、マスク１の装着者の鼻側に位置する側を上、マスク１の装着者の顎側に位置する側を下とし、本体部１０の裏面１０ｂから表面１０ａを見た際の左側を左、右側を右とする。
【００１２】
本体部１０は、第２収納部１２を有する。第２収納部１２は、本体部１０の短手方向の中央やや下側に設けられる。第２収納部１２は、第２形状保持部材４０を収納するものであり、本体部１０の第２層１０Ｂ及び第３層１０Ｃの間に、第２形状保持部材４０の外形より僅かに大きい空間として形成される（図３Ｂ部拡大図も参照）。第２収納部１２は、本体部１０の長手方向に亘って２列設けられる溶着部１２ａの間に形成される。また、溶着部１２ａは、本体部１０の第１層１０Ａ乃至第３層１０Ｃを熱溶着や超音波溶着等の溶着を行うことで形成することができる。
【００１３】
本体部１０は、長手方向に延在する折り目１３を有する。本体部１０は、両短手の縁側に、それぞれ接合部１４を有する。折り目１３は、本体部１０の接合部１４間に亘って、複数設けられる。本体部１０は、図３に示すように、複数の折り目１３により折り曲げられる。そして、本体部１０は、折り目１３により折り曲げられ、折り重なるように形成された上で、接合部１４において、短手側を溶着（熱溶着や超音波溶着等）される。
【００１４】
第１形状保持部材２０は、図１及び図２に破線として示すように、その長手方向の長さがその短手方向の長さに比べ、非常に長い板状に形成される。第１形状保持部材２０は、細長く線状である線状部材２１及び線状部材２１を覆うコーティング部材２２を有する。第１形状保持部材２０は、図３Ａ部拡大図に示すように、線状部材２１を２本有し、コーティング部材２２により、２本の線状部材２１をそれぞれ覆い、かつそれぞれを連結させ、形成される。従って、コーティング部材２２は、線状部材２１を円状に覆う第１コーティング部材２２ａ及び第１コーティング部材２２ａに覆われた線状部材２１同士を平行に連結する第２コーティング部材２２ｂを有する。また、線状部材２１は、例えば、スチール線（スチール製の線材）により形成することが可能であり、コーティング部材２２は、樹脂材料（例えば、ポリプロピレンとポリエチレンとを含む樹脂材料）により形成することができる。コーティング部材２２は、本体部１０と同色のものが用いられる。例えば、本体部１０が白色ならば、コーティング部材２２も同様に白色として形成される。従って、本体部１０及び第１形状保持部材２０は、同色に形成される。なお、第１形状保持部材２０は、前述のように、本体部１０の内部に第１収納部１１によって収納される。
【００１５】
クッション部材３０は、図２及び図３に示すように、本体部１０の裏面１０ｂ側（本体部１０の一方面）に配置される。クッション部材３０は、第１形状保持部材２０と平面視において重なる。そして、クッション部材３０は、前述の溶着部１１ａにより、本体部１０と固定される。また、クッション部材３０は、本体部１０と比べ厚手であり、弾力性がある部材（例えば、ウレタン材）により形成することができる。
【００１６】
第２形状保持部材４０は、図１及び図２に破線として示すように、その長手方向の長さがその短手方向の長さに比べ非常に長い板状に形成される。また、第２形状保持部材４０は、第１形状保持部材２０と比べ、その長手方向の長さが長く形成される。第２形状保持部材４０は、樹脂材料により形成され、例えば、ポリエチレンにより形成することができる。なお、第２形状保持部材４０は、前述のように、本体部１０の内部に第２収納部１２によって収納される。
【００１７】
耳掛け部５０は、紐状に形成される。そして、耳掛け部５０は、本体部１０の両短手側に、それぞれ１つずつ設けられ、かつ本体部１０の長手方向中央に対して対称に配置される。耳掛け部５０は、本体部１０の表面１０ａの四隅近傍に設けられた溶着部５０ａにより、その先端を本体部１０と溶着（熱溶着や超音波溶着等）される。なお、耳掛け部５０は、ゴムなどにより形成することができる。
【００１８】
次に、マスク１の使用態様の一例について説明する。まず、マスク１の使用者は、マスク１の本体部１０の表面１０ａが外側となるように、本体部１０の短手方向略中央を中央として、本体部１０を半分に折り曲げる。次に、折り曲げられた本体部１０の山となった箇所を引っ張り、本体部１０の折り目１３により折り重なっていた部分を押し広げる。次に、マスク１の使用者は、マスク１の耳掛け部５０を自身の耳にかける。次に、マスク１の使用者は、本体部１０の長手側を掴んで、自身の鼻及び顎を本体部１０が覆うように、本体部１０をその短手方向に広げる。
【００１９】
次に、マスク１の使用者は、本体部１０の上から第１形状保持部材２０に力を加え、自身の鼻の形状に沿うように、第１形状保持部材２０を変形させる。第１形状保持部材２０は、変形することで、該使用者の鼻にマスク１を密着させ、密閉性を高めることができる。また、第１形状保持部材２０は、線状部材２１をスチール線とすることで、変形後の形状を長時間維持できる。なお、スチール線は、細く加工が容易である利点を有する。
【００２０】
ここで、第１形状保持部材２０は、該使用者の鼻及びマスク１を固定するワイヤーであるノーズワイヤーとして機能するため、該使用者の鼻に固定可能な長さであればよい。第１形状保持部材２０は、その長さを抑えることで、マスク１の軽量化にも寄与する。
【００２１】
また、第１形状保持部材２０を変形させる際に、第１形状保持部材２０が本体部１０の長手方向に動いてしまったとしても、本体部１０の溶着部１１ｂにより、その動きを規制することができる。従って、本体部１０に２箇所設けられた溶着部１１ｂは、溶着箇所としてだけでなく、第１形状保持部材２０の動きを制限する規制部としても機能する。なお、２箇所の規制部（溶着部１１ｂ）の間の距離は、第１形状保持部材２０の長手方向の長さより僅かに大きく、第２収納部１２の長手方向の長さより短い。
【００２２】
そして、本体部１０及び第１形状保持部材２０は、前述のように、同色に形成される。従って、第１形状保持部材２０が未変形であっても、第１形状保持部材２０を変形させたとしても、外部から見て目立ちにくく、マスク１の意匠性を損なわない。
【００２３】
さらに、第１形状保持部材２０を変形させる際には、厚手かつ弾力性のあるクッション部材３０が該使用者の鼻に接することとなり、該使用者の鼻及びマスク１の本体部１０との隙間を埋めることで密閉性を向上させることができる。マスク１は、前述した第１形状保持部材２０の変形による使用者の鼻への密着に加え、クッション部材３０による使用者の鼻との隙間を埋めることにより、その密閉性を更に高めることができる。これにより、該使用者の呼気の漏れを防止することができ、該使用者が、たとえ眼鏡をかけていたとしても、眼鏡が曇ることを防止することができる。
【００２４】
次に、該使用者は、第２形状保持部材４０を自身の顔面から本体部１０を突出させるように変形させる。第２形状保持部材４０を変形させることにより、マスク１の着用時であっても、マスク１は、その使用者の呼気で動かないようになる。従って、第２形状保持部材４０は、マスク１の短手方向略中央で変形するワイヤーであるセンターワイヤーとして機能する。以上により、該使用者は、マスク１を装着することができる。
【００２５】
本考案は、前述の実施形態に限定されない。例えば、第１収納部１１及び第２収納部１２は、本体部１０の第１層１０Ａ及び第２層１０Ｂの間に設けることもできる。また、第１形状保持部材２０を本体部１０の両短手側の内部に設け、マスク１の形状の維持を図ることもできる。
【符号の説明】
【００２６】
１          マスク                    １０        本体部
１０Ａ      第１層                    １０Ｂ      第２層
１０Ｃ      第３層                    １０ａ      表面
１０ｂ      裏面                      １１        第１収納部
１１ａ      溶着部                    １１ｂ      溶着部
１２        第２収納部                １２ａ      溶着部
１３        折り目                    １４        接合部
２０        第１形状保持部材          ２１        線状部材
２２        コーティング部材          ２２ａ      第１コーティング部材
２２ｂ      第２コーティング部材      ３０        クッション部材
４０        第２形状保持部材          ５０        耳掛け部
５０ａ      溶着部
【図１】
0003228913.tif 000003
【図２】
0003228913.tif 000004
【図３】
0003228913.tif 000005